(57)【要約】  非セルロースベースの変形可能な基材が、フレーム上に直接取り付けし、または出版物内に含むことができるように、構成される。2008513236.tif 000003
2008513236.tif 000002
【特許請求の範囲】
【請求項１】
出版物であって、
（ａ）複数のページ、および背と、
（ｂ）金属および／またはプラスチックで構成される基材とを備え、
（ｃ）前記基材は、第１および第２の部分を有し、前記２つの部分は、第１の折曲げ線で接触し、前記第１の折曲げ線は、前記背に隣接して配置され、前記出版物がさらに、
（ｄ）前記ページの少なくともいくつかおよび前記基材内の少なくとも１つの開口を通って延びる、細長部材を備え、前記開口が、前記第１の折曲げ線に沿った応力の伝達を低減させるように構成される、出版物。
【請求項２】
前記細長部材が、ステープルを含む、請求項１に記載の出版物。
【請求項３】
前記細長部材が、前記第１の折曲げ線の隣接した部位で前記基材を貫通する、請求項１に記載の出版物。
【請求項４】
前記開口が、円形の周縁を有する、請求項１に記載の出版物。
【請求項５】
前記開口がある周縁を有し、前記基材がある厚さを有し、前記基材の前記厚さが、前記開口の前記周縁に隣接した部位で増加している、請求項１に記載の出版物。
【請求項６】
前記基材が画像を備え、前記画像が広告を含む、請求項１に記載の出版物。
【請求項７】
前記基材が、プラスチックで構成される、請求項１に記載の出版物。
【請求項８】
（ａ）複数のページ、および背と、
（ｂ）金属および／またはプラスチックで構成される基材とを備え、
（ｃ）前記基材が、第１および第２の部分を有し、前記２つの部分が、第１の折曲げ線において接触し、前記第１の折曲げ線が、前記背に隣接して配置され第１および第２の対向端部を有し、
（ｄ）少なくとも１つの前記端部が、前記第１の折曲げ線に沿った応力の伝達を低減させるように構成される、出版物。
【請求項９】
前記ページの少なくともいくつかが、細長部材によって互いに固定される、請求項８に記載の出版物。
【請求項１０】
前記細長部材が、前記第１の折曲げ線に隣接した部位で前記基材を貫通する、請求項９に記載の出版物。
【請求項１１】
前記基材は、前記細長部材が通る開口を備える、請求項１０に記載の出版物。
【請求項１２】
前記開口が、円形の周縁を有する、請求項１１に記載の出版物。
【請求項１３】
前記開口がある周縁を有し、前記基材がある厚さを有し、前記基材の前記厚さが前記開口の前記周縁に隣接した部位で増加している、請求項１１に記載の出版物。
【請求項１４】
前記基材がプラスチックで構成される、請求項８に記載の出版物。
【請求項１５】
前記基材が画像を備え、前記画像が広告を含む、請求項８に記載の出版物。
【請求項１６】
（ａ）複製された画像を基材の面上に有する、変形可能な自己支持基材を備え、
（ｂ）前記基材が、第１および第２の部分を有し、前記２つの部分が、第１の折曲げ線に隣接して接触し、前記第１の折曲げ線が、第１および第２の対向端部を有し、
（ｃ）前記端部の少なくとも１つが、前記第１の折曲げ線に沿った応力の伝達を低減するように構成される、部材。
【請求項１７】
前記各部分がそれぞれ１つの縁部を有し、前記双方の縁部が、前記対向端部の一方において接触し、前記部分が前記第１の折曲げ線に沿って折り曲げられるとき、前記第１の折曲げ線に隣接した部位の各縁部の領域がある点を画成し、前記第１の折曲げ線に隣接した部位の各縁部の前記領域が、前記基材の前記部分によって画成された平面内で丸みを付けられる、請求項１６に記載の部材。
【請求項１８】
前記領域が、前記基材の前記部分によって画成された平面内で丸みを付けられる、請求項１７に記載の部材。
【請求項１９】
前記領域が、前記縁部から見たときにほぼ凹状の凹みを作り出す、請求項１７に記載の部材。
【請求項２０】
前記部分が前記第１の折曲げ線に沿って折り曲げられるとき、各縁部の一領域が、前記第１の折曲げ線に隣接した点を画成し、前記基材が、ある厚さを有し、前記厚さが、前記点に隣接した部位で増加している、請求項１６に記載の部材。
【請求項２１】
前記各部分が、縁部を有し、一般にほぼ一平面内で延び、前記縁部が、前記対向端部の一方の点において接触し、前記基材が、前記点に隣接した部位で前記平面の外に延びるように構成される、請求項１６に記載の部材。
【請求項２２】
前記点に隣接した部位の前記基材の領域が、前記平面の外へと湾曲する、請求項２１に記載の部材。
【請求項２３】
前記第１の部分が、その上に設けられた画像を備え、前記部材が、製本された出版物内に組み込まれる、請求項１６に記載の部材。
【請求項２４】
前記画像が、広告を含む、請求項２３に記載の部材。
【請求項２５】
前記製本された出版物が、複数のページおよび背を有し、前記第１の折曲げ線が、前記背に隣接して配置される、請求項２３に記載の部材。
【請求項２６】
前記ページの少なくともいくつかが、細長部材によって互いに固定される、請求項２５に記載の部材。
【請求項２７】
前記細長部材が、前記第１の折曲げ線に隣接した部位で前記基材を貫通する、請求項２６に記載の部材。
【請求項２８】
前記基材は、前記細長部材が前記基材を通る開口を備える、請求項２７に記載の部材。
【請求項２９】
前記開口が、円形の周縁を有する、請求項２８に記載の部材。
【請求項３０】
前記開口が周縁を有し、前記基材がある厚さを有し、前記基材の前記厚さが前記開口の前記周縁に隣接した部位で増加している、請求項２８に記載の部材。
【請求項３１】
前記開口が周縁を有し、前記各部分が、ほぼある平面内で延び、前記基材が、前記開口の前記周縁に隣接した部位で前記平面の外に延びるように構成される、請求項２８に記載の部材。
【請求項３２】
前記開口の前記周縁に隣接した部位の前記基材の領域が、前記平面の外に湾曲する、請求項３１に記載の部材。
【請求項３３】
前記基材が、熱および／または圧力によって変形される、請求項１６に記載の部材。
【請求項３４】
前記基材が、熱成形可能なプラスチックである、請求項３３に記載の部材。
【請求項３５】
前記基材が、プラスチックまたは金属である、請求項３３に記載の部材。
【請求項３６】
前記プラスチックが、ポリスチレンである、請求項１６に記載の部材。
【請求項３７】
前記基材の前記第１の部分が、その上に設けられた画像を有し、前記基材の前記第２の部分が、第１のフランジを画成し、前記フランジが、フレームに固定される、請求項１６に記載の部材。
【請求項３８】
前記部材が芸術作品を含む、請求項３７に記載の部材。
【請求項３９】
前記基材がさらに、第３の部分を備え、前記第１および第３の部分が、第２の折曲げ線において接触し、前記第２の折曲げ線が、第１および第２の対向する端部を有し、前記第１の折曲げ線の前記端部の一方が、隅部を画成するように前記第２の折曲げ線の前記端部の一方に隣接して配置され、前記隅部は、前記折曲げ線に沿った応力の伝達を低減させるように構成される、請求項３７に記載の部材。
【請求項４０】
前記基材が、前記基材を前記フレームに取付けるための複数のフランジと、前記フランジ間に配置された隅部とを有し、少なくともいくつかの前記隅部が丸い部分を有する、請求項３８に記載の部材。
【請求項４１】
前記隅部が、すべて丸くなっている、請求項４０に記載の部材。
【請求項４２】
（ａ）その第１の部分の少なくとも前面上に複製される画像を有する、変形可能な自己支持形基材のシートを備え、
（ｂ）前記基材が、フレームに貼り付けるためのフランジ、および前記フランジ間に配置された隅部を有し、前記フランジと前記第１の部分とが折曲げ線において当接し、
（ｃ）第１の隅部が、折曲げ線に沿った応力の伝達を前記第１の隅部に隣接した部位で低減するように構成される、美術品複製。
【請求項４３】
前記隅部がすべて、折曲げ線に沿った応力の伝達を前記隅部に隣接した部位で低減するように構成される、請求項４２に記載の美術品複製。
【請求項４４】
前記隅部が、丸い部分を有する、請求項４２に記載の美術品複製。
【請求項４５】
前記基材が、ある厚さを有し、前記厚さが、前記第１の隅部に隣接した部位で増加している、請求項４２に記載の美術品複製。
【請求項４６】
前記各フランジが、前記第１の隅部で隣接し、前記第１の部分が、一般に平面を画成し、前記第１の隅部に隣接した部位で、前記基板が、前記各平面から外側方向に延びるように構成される、請求項４２に記載の美術品複製。
【請求項４７】
前記第１の隅部に隣接した部位の前記基材の領域が、前記平面から外向きに湾曲する、請求項４６に記載の美術品複製。
【請求項４８】
前記基材が、プラスチックで構成される、請求項４２に記載の美術品複製。
【請求項４９】
前記画像が広告を含む、請求項４２に記載の美術品複製。
【請求項５０】
発光部材を受けるように構成された少なくとも１つの取付け部をさらに備え、異なる照明特性を有する複数の発光部材が、前記取付け部内で交換可能に受けられる、請求項４２に記載の美術品複製。
【請求項５１】
前記取付け部が、前記美術品複製および前記フレームから離隔された使用位置と、前記取付け部が前記美術品複製および前記フレームに隣接した部位に配置される輸送位置との間で、前記フレームに可動式に取り付けられる、請求項５０に記載の美術品複製。
【請求項５２】
少なくとも１つの発光部材と、時間を監視する部材と、前記発光部材の強度および前記発光部材の色を調整し、かつ／または時刻に基づいて前記発光部材を作動させるための制御装置とをさらに備える、請求項４２に記載の美術品複製。
【請求項５３】
前記制御装置は、使用者によってプログラム可能であり、前記制御装置が前記発光部材を調整しまたは前記発光部材を作動させる時刻を、前記使用者が調整することができる、請求項５２に記載の美術品複製。
【請求項５４】
少なくとも１つの発光部材と、前記美術品複製が配置されている室内の前記照明の強さを監視するための部材と、前記室内の前記照明の強さに基づいて前記発光部材の強さおよび／または色を調整する制御装置とをさらに備える、請求項４２に記載の美術品複製。
【請求項５５】
背を有する出版物を製本する方法であって、
（ａ）複数のページを設けることと、
（ｂ）金属および／またはプラスチックで構成される基材を設けることであって、前記基材が第１および第２の部分を有し、前記２つの部分が第１の折曲げ線において接触し、前記第１の折曲げ線が前記背に隣接して配置され第１および第２の対向する端部を有する、設けることと、
（ｃ）前記端部の少なくとも一方を、前記第１の折曲げ線に沿った応力の伝達が低減されるように構成することと、
（ｄ）前記複数のページと基材とを互いに固定することとを含む方法。
【請求項５６】
ステップ（ｃ）が、前記端部の少なくとも一方を丸くすることを含む、請求項５５に記載の方法。
【請求項５７】
ステップ（ｃ）が、前記端部に隣接した部位により厚い基材を設けることを含む、請求項５５に記載の方法。
【請求項５８】
前記第１および第２の部分が、ステップ（ｃ）において、それぞれ一般に平面を画成し、前記方法が、前記基材を前記各平面から外側方向に延びるように構成することをさらに含む、請求項５５に記載の方法。
【請求項５９】
前記基材に３次元画像を形成するために前記基材を処理することをさらに含む、請求項５５に記載の方法。
【請求項６０】
前記出版物が雑誌を含み、前記方法がさらに、前記基材内に３次元広告を形成するために前記基材を処理することをさらに含む、請求項５５に記載の方法。
【請求項６１】
ステップ（ｄ）が、前記複数のページおよび前記基材を貫通するべく細長部材を貫通させるステップをさらに含む、請求項５５に記載の方法。
【請求項６２】
前記細長部材が、前記第１の折曲げ線に隣接した部位で前記基材を貫通し、前記方法が、前記細長部材が通る予め形成された開口を備える前記基材を設けることをさらに含む、請求項５５に記載の方法。
【請求項６３】
前記第１の折曲げ線に沿った応力の伝達を低減するように前記開口を構成することをさら含む、請求項６２に記載の方法。
【請求項６４】
前記細長部材が、前記第１の折曲げ線に隣接した部位で前記基材を貫通し、前記方法が、前記第１の折曲げ線に沿った応力の伝達を低減するように構成された開口を備える、前記基材を設けることをさらにさらに含む、請求項５５に記載の方法。
【請求項６５】
背を有する出版物を製本する方法であって、
（ａ）複数のページを設けることと、
（ｂ）金属および／またはプラスチックで構成される基材を設けることと、
（ｃ）前記基材に、細長部材がそこを通るための開口を設けることと、
（ｄ）前記開口に前記細長部材を通すことによって、前記複数のページおよび前記基材を互いに固定することとを含む方法。
【請求項６６】
前記開口が周縁を有し、前記方法が前記周縁に隣接下部部分で前記基材を通る応力の伝達を低減するために、前記開口を構成することをさらに含む、請求項６５に記載の方法。
【請求項６７】
前記開口が周縁を有し、前記方法が前記周縁を丸くすることをさらに含む、請求項６５に記載の方法。
【請求項６８】
前記開口が周縁を有し、前記方法が前記周縁に隣接した部位でより厚い基材を設けることをさらに含む、請求項６５に記載の方法。
【請求項６９】
前記基材が、少なくとも１つの平面を画成し、前記方法がさらに、前記基材を、前記平面の少なくとも１つから外側方向に延びるように構成することをさらに含む、請求項６５に記載の方法。
【請求項７０】
前記基材内に３次元画像を形成するために、前記基材を処理することをさらに含む、請求項６５に記載の方法。
【請求項７１】
前記出版物が、雑誌を含み、前記方法が、前記基材内に３次元広告を形成するために前記基材を処理することをさらに含む、請求項６５に記載の方法。
【請求項７２】
前記基材に前記細長部材を通す前に、前記開口を形成することをさらに含む、請求項６５に記載の方法。
【請求項７３】
前記細長部材が前記基材に通されるときに、前記開口を形成することをさらに含む、請求項６５に記載の方法。
【請求項７４】
芸術作品にフレームを付ける方法であって、
（ａ）その第１の部分の少なくとも前面上に複製された画像を有する、変形可能な自己支持形基材のシートを設けることと、
（ｂ）前記シートをフレームに取り付けるためのフランジを設けることであって、前記フランジおよび前記第１の部分が折曲げ線において当接する、設けることと、
（ｃ）前記フランジ間に配置された隅部を設け、少なくとも第１の隅部を、前記第１の隅部に隣接した部位で折曲げ線に沿った応力の伝達が低減されるように構成することとを含む方法。
【請求項７５】
前記隅部をすべて、前記隅部に隣接した部位で折曲げ線に沿った応力の伝達が低減されるように構成することをさらに含む、請求項７４に記載の方法。
【請求項７６】
ステップ（ｃ）が、前記第１の隅部を丸くすることを含む、請求項７４に記載の方法。
【請求項７７】
前記基材がある厚さを有し、前記方法がさらに、前記第１の隅部に隣接した部位で前記厚さを増加させることをさらに含む、請求項７４に記載の方法。
【請求項７８】
前記各フランジが、前記第１の隅部および前記第１の部分に隣接した部位で、一般に平面を画成し、前記方法は、前記第１の隅部に隣接した部位の前記基材を、前記各平面から外側方向に向かって延びるように構成することをさらに含む、請求項７４に記載の方法。
【請求項７９】
前記第１の隅部に隣接した部位の前記基材の領域が、前記平面から外向きに湾曲する、請求項７６に記載の方法。
【請求項８０】
前記基材としてプラスチックを選択することをさらに含む、請求項７４に記載の方法。
【請求項８１】
前記画像が３次元であり、前記方法が、前記基材内に３次元画像を形成することをさらに含む、請求項７４に記載の方法。
【請求項８２】
発光部材を受けるように構成された少なくとも１つの取付け部を設けることであって、異なる照明特性を有する複数の発光部材を前記取付け部内で交換可能に受けることができるようにすること、及び、前記画像の照度を高めるように発光部材を選択することをさらに含む、請求項７４に記載の方法。
【請求項８３】
前記取付け部が、前記基材および前記フレームから離隔された使用位置と、前記取付け部が前記基材および前記フレームに隣接して配置される輸送位置との間で、前記フレームに可動式に取り付けられ、前記方法が、輸送のために、前記輸送位置内に前記取付け部を配置し、前記芸術作品を梱包することをさらに含む、請求項７４に記載の方法。
【請求項８４】
少なくとも１つの発光部材を提供すること、時間を監視し、前記発光部材の前記強さ、前記発光部材の色を調整すること、および／または、前記発光部材を時刻に基づいて作動させることをさらに含む、請求項７４に記載の方法。
【請求項８５】
前記発光部材が調整または作動される時刻を調整するためのプログラムを設定することをさらに含む、請求項８４に記載の方法。
【請求項８６】
前記芸術作品が配置される室内の照明の前記強さを監視すること、および／または前記室内の前記照明の強度に基づいて、前記発光部材の前記強さおよび／または色を調整することをさらに含む、請求項８４に記載の方法。
【発明の詳細な説明】
【技術分野】
【０００１】
本発明は、ポリスチレンまたはポリ塩化ビニル（ＰＶＣ）など変形可能な基材の使用方法に関する。一態様では、本発明は、美術作品を壁に展示することを可能にするために変形可能な基材上に製作された美術作品、特に美術品複製のための、取り付けシステムに関する。その他の実施形態では、本発明は、雑誌または定期出版物など印刷された変形可能な基材を、出版物内に組み込むための方法、および本方法によって製作された出版物に関する。
【背景技術】
【０００２】
過去２０年間にわたり、美術作品原本の安価な複製を作り出すために、多大な努力がなされてきた。例えば米国特許第5,958,470号および同第5,904,962号参照せよ。
【発明の開示】
【発明が解決しようとする課題】
【０００３】
そのような複製は、引裂きに耐えるＰＶＣ基材上に作り出されることが多いが、製造工程中に傷が生み出されることにより、または消費者によって複製が捨てられることにより、複製が埋立地に廃棄される場合、環境に有害であった。ポリスチレンまたはその他の環境に優しい材料の使用は、ポリスチレンが比較的壊れやすく、破砕および引裂きを受けやすいという事実により、複雑である。したがって、ポリスチレンはより環境に優しいが、これには製作工程中のさらなる問題がある。
【課題を解決するための手段】
【０００４】
本発明によれば、変形可能な基材を使用するための、改善された方法および構成が提供される。
【０００５】
本発明の一態様によれば、芸術作品原本の複製が、好ましくは熱成形プラスチックである基材上に準備される。芸術作品の取り付けを容易にするために切断され、または切込みを入れられた、複製の隅部またはその他の領域は、応力の伝達を低減するように構成される。そのような応力は、熱成形可能な基材内の破れ目、裂け目、ひびが生み出され、または広がるおそれがある。好ましくは、基板がフレームに取り付けられ、またはそれ以外の方法で取り付けられることを可能にするために、基板に切込みが入れられるか、基板が隅部またはそこから切り取られたその他の小片を有するときに、５°より大きい角度が形成される場合、小さな円形または楕円形の穴を設け、それによって基板内に裂け目または破砕の可能性を防止または低減することができる。
【０００６】
複製は、２次元であってもよい。例えば、基材の前面または画像保持面上に画像を印刷することなどによって、その上に画像を提供することができる。あるいは、またはさらに基材は、例えば芸術作品の原本に相当する、３次元の描写またはトポグラフィーを作り出すために、加圧および／または真空成形が施されることなどによって処理される。この複製は、芸術作品原本の外観をさらに複製するために、キャンバス基材に最適に接着することができる。
【０００７】
例えば、美術品複製は、ポリスチレンの単一シート上に印刷することができる。ポリスチレンは、４つのフランジがもたらされるように、隅部を切除することができ、フランジは、後にフレームアセンブリの周りで曲げられ、それによって美術品複製をフレームに固定することが可能になる。そのような場合、２つの隣接するフランジ間に形成された隅部は、好ましくは、本願で述べるように構成される。したがって、フランジがフレーム上に一致するように曲げられるとき、プラスチックの変形による応力は、隅部を越えて伝達されず、特に、基材の画像保持部分内へと広がらない。熱成形可能な基材が、室温で、またはいくつかの場合には室温より高い温度で曲げられるとき、その基材は、基材が変形されるときに加えられる応力によってひび割れやすくなることがあることが理解されるであろう。このひびは、応力の線（すなわち、基材がそれに沿って曲げられる軸）に沿って広がる傾向がある。そのような隅部を丸くすることによって、ひびの伝播が弱まり、ひびが基材のさらなる部分に沿って広がることが妨げられる。またいくつかの場合には、隅部を丸くすることによって、基材がフレームに取り付けられるために曲げられるときに、ひび割れしない基材をもたらすことができる。
【０００８】
本発明の別の実施形態によれば、基材を、出版物のページとして含むことができる。例えば、熱形成可能なプラスチックシートに印刷し、本または雑誌などの出版物に組み込むことができる。出版物は、点接着、熱かしめ、ステープル、縫製、またはその他の方法でページを互いに機械的に固定することによって、製本することができる。ステープル、またはポストまたはリングなどその他の機械的部材が、基材を通して挿入される場合、ステープルが基材を通過することによって応力点がもたらされ、その結果として、基材の画像保持部分を通って延びるひびが形成されるおそれがある。したがって、基材が、出版物のページとして製本されることによって出版物のページとして組み込まれる場合、基材は、穿通によって変形されずに、基材を穿通することができるステープルまたはその他の部材を受けるように構成される。好ましくは、ステープルまたはその他の結合材が基材を貫通する位置に、穴が設けられる。好ましくは、基材はまた、穴が設けられる部分において厚くされる。
【０００９】
本発明の一態様によれば、
（ａ）複製された画像をその面上に有する、変形可能な自己支持形基材を備え、
（ｂ）基材が第１および第２の部分を有し、この２つの部分が第１の折曲げ線において接触し、第１の折曲げ線が第１および第２の対向する端部を有し、
（ｃ）端部の少なくとも一方が、第１の折曲げ線に沿った応力の伝達を低減するように構成される、部材が提供される。
【００１０】
一実施形態では、各部分が縁部を有し、縁部が対向端部の内の一方において接触し、部分が第１の折曲げ線に沿って折り曲げられるとき、第１の折曲げ線に隣接する各縁部の領域が１点を画成し、第１の折曲げ線に隣接する各縁部の領域が、基材の部分によって画成された平面内で丸くされる。
【００１１】
別の実施形態では、領域は、基材の部分によって画成された平面内で丸みを付けられる。
【００１２】
別の実施形態では、領域は、縁部から見たときにほぼ凹状の凹みを作り出す。
【００１３】
別の実施形態では、部分が第１の折曲げ線に沿って折り曲げられるとき、第１の折曲げ線に隣接した部位の各縁部の領域が１点を画成し、基材がある厚さを有し、厚さが点に隣接した部位で増加している。
【００１４】
別の実施形態では、各部分は、縁部を有し一般に平面内で延び、縁部は、一方の対向端部において１点で接触し、基材は、点に隣接した部位の平面の外に延びるように構成される。好ましくは、点に隣接した部位の基材領域は、平面の外で湾曲する。
【００１５】
別の実施形態では、第１の部分は、その上に提供された画像を有し、部材は、製本された出版物内へと組み込まれる。
【００１６】
別の実施形態では、画像は、広告を含む。
【００１７】
別の実施形態では、製本された出版物は、複数のページおよび背を有し、第１の折曲げ線が背に隣接して配置される。少なくともいくつかのページは、細長部材によって互いに固定することができる。好ましくは、細長部材は、第１の折曲げ線に隣接した部位で基材を貫通する。より好ましくは、基材は、細長部材が通る開口を備える。好ましくは、開口は、円形の周縁を有する。好ましくは、前記開口が円形の周縁を有する。あるいはまたはさらに、開口はある周縁を有し、基材はある厚さを有し、基材の厚さは開口の周縁に隣接した部位で増加している。あるいは、またはさらに、開口は周縁を有し、各部分は一般に一平面内に延び、基材は開口の周縁に隣接した部位の平面から外へと延びるように構成される。別の実施形態では、開口の周縁に隣接した部位の基材の領域が、平面の外で湾曲する。
【００１８】
別の実施形態では、基材は、熱および／または圧力によって変形される。
【００１９】
別の実施形態では、基材は、熱成形可能なプラスチックである。
【００２０】
別の実施形態では、基材は、プラスチックまたは金属である。好ましくは、このプラスチックは、ポリスチレンである。
【００２１】
別の実施形態では、基材の第１の部分は、その上に提供された画像を有し、基材の第２の部分は、第１のフランジを画成し、フランジは、フレームに固定される。
【００２２】
別の実施形態では、部材は芸術作品を含む。
【００２３】
別の実施形態では、基材はさらに、第３の部分を備え、第１および第３の部分は、第２の折曲げ線において接触し、第２の折曲げ線は、第１および第２の対向する端部を有し、第１の折曲げ線の一方の端部は、隅部を画成するように、第２の折曲げ線の一方の端部に隣接して配置され、隅部は、折曲げ線に沿った応力の伝達を低減するように構成される。
【００２４】
別の実施形態では、基材は、基材をフレームに取り付けるための複数のフランジと、フランジ間に配置された隅部とを有し、少なくともいくつかの隅部は、丸い部分を有する。
【００２５】
別の実施形態では、すべての隅部は丸くされる。
【００２６】
本発明の別の実施形態によれば、
（ａ）複数のページ、および背と、
（ｂ）金属および／またはプラスチックで構成される基材とを備え、
（ｃ）基材が第１および第２の部分を有し、２つの部分が第１の折曲げ線において接触し、第１の折曲げ線が、背に隣接して配置され第１および第２の対向する端部を有し、
（ｄ）端部の少なくとも一方が、第１の折曲げ線に沿った応力の伝達を低減するように構成される、出版物が提供される。
【００２７】
一実施形態では、少なくともいくつかのページが、細長部材によって互いに固定される。
【００２８】
別の実施形態によれば、細長部材は、第１の折曲げ線に隣接した部位で基材を貫通する。
【００２９】
別の実施形態によれば、基材は、細長部材が通る開口を備える。
【００３０】
別の実施形態では、開口は、円形の周縁を有する。
【００３１】
別の実施形態では、開口は周縁を有し、基材はある厚さを有し、基材の厚さは開口の周縁に隣接した部位で増加している。
【００３２】
別の実施形態では、基材は、プラスチックで構成される。
【００３３】
別の実施形態では、基材は画像を備え、画像は広告を含む。
【００３４】
本発明の別の態様によれば、出版物であって、
（ａ）複数のページ、および背と、
（ｂ）金属および／またはプラスチックで構成される基材とを備え、
（ｃ）基材が、第１および第２の部分を有し、２つの部分が、第１の折曲げ線において接触し、前記第１の折曲げ線が、前記背に隣接して配置され、出版物がさらに、
（ｄ）少なくともいくつかのページおよび基材内の少なくとも１つの開口を貫通して延びる細長部材を備え、開口が、第１の折曲げ線に沿った応力の伝達を低減させるように構成される、出版物が提供される。
【００３５】
一実施形態では、細長部材は、ステープルを含む。
【００３６】
別の実施形態では、細長部材は、第１の折曲げ線に隣接した部位で基材を貫通する。
【００３７】
別の実施形態では、開口は、円形の周縁を有する。
【００３８】
別の実施形態では、開口はある周縁を有し、基材はある厚さを有し、基材の厚さは開口の周縁に隣接した部位で増加している。
【００３９】
別の実施形態では、基材は画像を備え、画像は広告を含む。
【００４０】
別の実施形態では、基材は、プラスチックで構成される。
【００４１】
本発明の別の態様によれば、
（ａ）その第１の部分の少なくとも表面上に複製された画像を有する、変形可能な自己支持形基材のシートを備え、
（ｂ）基材が、フレームに取り付けるためのフランジと、フランジ間に配置された隅部とを備え、フランジが、折曲げ線において第１の部分と当接し、
（ｃ）第１の隅部が、第１の隅部に隣接した部位で折曲げ線に沿った応力の伝達を低減するように構成される、美術品複製が提供される。
【００４２】
別の実施形態では、すべての隅部が、折曲げ線に沿った応力の伝達を隅部に隣接した部位で低減するように構成される。
【００４３】
別の実施形態では、隅部は、丸い部分を有する。
【００４４】
別の実施形態では、基材はある厚さを有し、厚さは第１の隅部に隣接した部位で増加している。
【００４５】
別の実施形態では、第１の隅部に隣接した部位の各フランジ、および第１の部分は、一般に、平面を画成し、第１の隅部に隣接した部位で、基材は、各平面から外側方向に向かって延びるように構成される。
【００４６】
別の実施形態では、第１の隅部に隣接した部位の基材の領域が、平面から外向きに湾曲する。
【００４７】
別の実施形態では、基材は、プラスチックで構成される。
【００４８】
別の実施形態では、画像は、広告を含む。
【００４９】
別の実施形態では、美術品複製はさらに、発光部材を受けるように構成された少なくとも１つの取付け部を備え、異なる照明特性を有する複数の発光部材が、取付け部内で交換可能に受けられる。
【００５０】
別の実施形態では、取付け部は、美術品複製およびフレームから離隔された使用位置と、取付け具が美術品複製およびフレームに隣接した部位に配置された輸送位置との間で、フレームに可動式に取り付けられる。
【００５１】
別の実施形態では、美術品複製は、少なくとも１つの発光部材と、時間を監視するための部材と、発光部材の強度、発光部材の色を調整し、かつ／または時刻に基づいて発光部材を作動させるための制御装置とをさらに備える。
【００５２】
別の実施形態では、制御装置は、使用者によってプログラム可能であり、使用者は、制御装置が発光部材を調整し、または発光部材を作動させる時刻を、調整することができる。
【００５３】
別の実施形態によれば、美術品複製は、少なくとも１つの発光部材と、美術品複製が配置される室内の照明の強度を監視するための部材と、室内の照明の強度に基づいて発光部材の強度および／または色を調整するための制御装置とをさらに備える。
【００５４】
本発明の別の態様によれば、
（ａ）複数のページを提供することと、
（ｂ）金属および／またはプラスチックで構成される基材を提供することであって、基材が、第１および第２の部分を有し、２つの部分が、第１の折曲げ線において接触し、第１の折曲げ線が、背に隣接して配置され、第１および第２の対向する端部を有する、提供することと、
（ｃ）少なくとも一方の端部を、第１の折曲げ線に沿った応力の伝達が低減されるように構成することと、
（ｄ）複数のページおよび基材を互いに固定することとを含む、背を有する出版物を製本する方法が提供される。
【００５５】
一実施形態では、ステップ（ｃ）は、端部の少なくとも１つを丸くすることを含む。
【００５６】
別の実施形態によれば、ステップ（ｃ）は、端部に隣接した部位でより厚い基材を提供することを含む。
【００５７】
別の実施形態によれば、ステップ（ｃ）において、第１および第２の部分がそれぞれ、一般に平面を画成し、この方法は、基材を、各平面から外側方向に延びるように構成することをさらに含む。
【００５８】
別の実施形態では、方法は、基材内に３次元画像を形成するために、基材を処理することをさらに含む。
【００５９】
別の実施形態では、出版物は雑誌を含み、方法は基材内に３次元広告を形成するために、基材を処理することをさらに含む。
【００６０】
別の実施形態では、ステップ（ｄ）は、複数のページおよび基材を貫通して通すための細長部材を含む。
【００６１】
別の実施形態では、細長部材は、第１の折曲げ線に隣接した部位で基材を通り、方法は、細長部材がそこを通る予め形成された開口を、基材に設けることをさらに含む。
【００６２】
別の実施形態では、方法は、開口を、第１の折曲げ線に沿った応力の伝達が低減されるように構成することをさらに含む。
【００６３】
別の実施形態では、細長部材は、第１の折曲げ線に隣接した部位で基材を貫通し、方法は、第１の折曲げ線に沿った応力の伝達を低減するように構成された開口を、基材に設けることをさらに含む。
【００６４】
本発明の別の態様によれば、
（ａ）複数のページを提供することと、
（ｂ）金属および／またはプラスチックで構成された基材を提供することと、
（ｃ）基材に、細長部材がそこを通過するための開口を設けることと、
（ｄ）開口に細長部材を通すことによって、複数のページおよび基材を互いに固定することとを含む、背を有する出版物を製本する方法が提供される。
【００６５】
一実施形態によれば、開口は周縁を有し、方法は開口を、周縁に隣接した部位で基材を通る応力の伝達が低減されるように構成することをさらに含む。
【００６６】
別の実施形態では、開口は周縁を有し、方法は周縁を丸くすることをさらに含む。
【００６７】
別の実施形態では、開口は周縁を有し、方法は周縁の周りでより厚い基材を提供することをさらに含む。
【００６８】
別の実施形態では、基材は少なくとも１つの平面を画成し、方法は基材を、少なくとも１つの平面から外向き方向に延びるように構成することをさらに含む。
【００６９】
別の実施形態では、方法はさらに、基材内に３次元画像を形成するために、基材を処理することを含む。
【００７０】
別の実施形態では、出版物は雑誌を含み、方法は基材内に３次元広告を形成するために、基材を処理することをさらに含む。
【００７１】
別の実施形態では、方法は細長部材が基材を通る前に、開口を形成することをさらに含む。
【００７２】
別の実施形態では、方法は細長部材が基材を通るときに開口を形成することを、さらに含む。
【００７３】
本発明の別の態様によれば、
（ａ）その第１の部分の少なくとも前面上に複製された画像を有する、変形可能な自己支持形基材のシートを提供することと、
（ｂ）折曲げ線において第１の部分と当接する、シートをフレームに取り付けるためのフランジを提供することと、
（ｃ）フランジ間に配置された隅部を提供し、少なくとも第１の隅部を、折曲げ線に沿った応力の伝達が第１の隅部に隣接した部位で低減されるように構成することとを含む、芸術作品にフレームを付ける方法が提供される。
【００７４】
一実施形態によれば、方法はすべての隅部を、折曲げ線に沿った応力の伝達が隅部に隣接した部位で低減されるように構成することをさらに含む。
【００７５】
別の実施形態では、ステップ（ｃ）は、第１の隅部を丸くすることを含む。
【００７６】
別の実施形態では、基材はある厚さを有し、方法は第１の隅部に隣接した部位で厚さを増加させることをさらに含む。
【００７７】
別の実施形態では、第１の隅部に隣接した部位の各フランジおよび第１の部分は、一般に平面を画成し、方法は第１の隅部に隣接した部位の基材を、各平面から外側方向に延びるように構成することをさらに含む。
【００７８】
別の実施形態では、第１の隅部に隣接した部位の基材領域は、平面から外向きに湾曲する。
【００７９】
別の実施形態では、方法はさらに、基板としてプラスチックを選択することを含む。
【００８０】
別の実施形態では、画像は３次元であり、方法は３次元画像を基材内に形成することをさらに含む。
【００８１】
別の実施形態では、方法はさらに、発光部材を受けるように構成された少なくとも１つの取付け部を設けることであって、異なる照明特性を有する複数の発光部材が取付け部内で交換可能に受けいれることができるようにすること、及び、画像の照度を高めるように発光部材を選択することを含む。
【００８２】
別の実施形態では、取付け部は、基材およびフレームから離隔された使用位置と、取付け部が基材およびフレームに隣接した部位に配置される輸送位置との間で、フレームに可動式に取り付けられ、方法は、取付け部を輸送位置に配置し、芸術作品を輸送のために梱包することをさらに含む。
【００８３】
別の実施形態では、方法は、少なくとも１つの発光部材を提供すること、時間を監視し、発光部材の強度および発光部材の色を調整すること、および／または時刻に基づいて発光部材を作動させることとをさらに含む。
【００８４】
別の実施形態では、方法は、発光部材が調整され、または作動される時刻を調整するための、プログラムを設定することをさらに含む。
【００８５】
別の実施形態では、方法は、芸術作品が配置される室内の照明の強度を監視することと、室内の照明強度に基づいて、発光部材の強度および／または色を調整することとをさらに含む。
【００８６】
本発明の１つの利点は、製本工程中または出版物が読まれるときに基材が損傷を受ける心配を少なくしながら、印刷された熱可塑性基材を出版物に組み込むことができることである。
【００８７】
本発明の別の利点は、フレーム付け工程中に基材が損傷を受ける可能性を低減しながら、熱成形可能な基材、および特にポリスチレン基材を、フレームに直接固定することができることである。
【００８８】
本発明のこれらおよびその他の利点は、本発明の好ましい実施形態の以下の説明と関連付けることによって、より十分かつ完全に理解されるであろう。
【発明を実施するための最良の形態】
【００８９】
本発明の一態様によれば、基材は、フレームおよび好ましくは木枠に取り付けられるように構成される。本発明のこの態様によれば、フレームは、画像を有する基材が、基材をフレームに固定するために曲げられ、折り曲げられ、変形され、かつ／または穴開けされる、フレーム取付けまたは広告分野で知られたいかなるフレームでもよい。
【００９０】
図１から図１９で例示するように、フレームは、長方形の木枠である。したがって、基材の隅部は、フレームの各辺のための４つのフランジを画成するために、切り取られまたは切込みを入れられる。次いでフランジが、木枠の側壁に固定される。木枠が、楕円形、円形、またはその他何らかの形状である場合、基材の印刷面を横切って広がるひび、裂け目、破れ目などの可能性を防ぎ、または低減するために、基材を同様に処理することができることが理解されるであろう。
【００９１】
美術品複製をフレームに取り付け、または呈示するための、様々な様式を用いることができることが理解されるであろう。通常、美術品複製は、複製の特徴を向上させるような何らかのやり方でフレームに取り付けられる。図１〜図９、および図１０〜図１９では、美術品複製を木枠に取り付ける２つの代替方法が提供されるが、本発明の技術を用いるその他の組合せが可能である。
【００９２】
図１に示すように、美術品複製１０は、画像を有する部分１２および周縁１４を有する。好ましくは、周縁１４内には、画像またはトポグラフィーが形成されない。
【００９３】
図２に示すように、隅部１６、１８、２０、および２２は、フランジ２４、２６、２８、３０を残して周縁１４から除去される。フランジ２４、２６、２８、および３０は、美術品複製１０をフレームに固定するために適したいかなる特定のサイズのものでもよい。フランジ２４、２６、２８、３０は、画像を有する部分１２とフランジの境界を画成する、折曲げ線３２に沿って折り曲げることができる。フランジ２４、２６、２８、および３０を折り曲げることを助けるために、折曲げ線３２は、ミシン目を入れられ、またはその他の方法で折曲げ線を入れられ、あるいは、フレームに固定するためにフランジを曲げることが容易になるように構成されることができる。フランジは、プラスチックを加熱することによって、かつ／またはフランジにメチルエチルケトンなどの溶剤を塗布することなどによって、プラスチックの剛性が一時的に弱められる間に曲げることができることも理解されるべきである。
【００９４】
本発明のこの態様によれば、少なくとも１つの、好ましくは複数の、最も好ましくはそれぞれの隅部に、折曲げ線３２に沿った応力の伝達を低減するように構成された、隅部切込み細部３４が設けられる。例えば、各隅部は、丸みを付けられ、またはその中に設けられた穴を有することができる。好ましくは、この穴は円形または楕円形である。基材は、好ましくは、設けられるときに基材の隣接する辺の間に５°より大きい角度があるように構成される。
【００９５】
図３ａは、図３の隅部細部Ａの拡大図を示す。フランジ２４は、側部３６を有し、フランジ２６は、側部３８を有する。辺３６と３８は、点４０で交わる。隅部１８が図２に示すように除去される場合、次いで、隣接側部３６および３８によって画成される隅部４０が、ほぼ直角を有することになる。図３に示すように、本発明の１つの実施形態によれば、点４０は、折曲げ線３２に沿った応力の伝達を低減するように構成される。したがって、例えば、図３ａに示すように、小さな丸い穴または楕円形が、点４０において設けられる。これは、マウント工程中の後続のフランジ２４および２６の折曲げまたは曲げによってかかる負荷を分配することによって、基材の引裂きまたは破砕の可能性を防止しまたは低減するように働く、応力緩和切断部である。図３ａには示さないが、好ましくは、各隅部がそのように処理される。点４０に小さい穴を設ける代わりに、点４０は、単に丸みを付けまたは湾曲させることができることが理解されるであろう。
【００９６】
図４に示すように、処理された美術品複製１０は、木枠４２上に取り付けるために準備される。木枠４２は、美術品複製１０の各フランジにつき１つの側部部材を備える。したがって、図４に示すように、木枠４２は、側部部材４４、４６、４８、および５０を有する。各側部部材は、画像を有する部分１２の下面に対して当接する頂面５２、および各フランジをそれに対して折り曲げることができる側面５４を有する。
【００９７】
図５に示すように、画像を有する面は、木枠４２の頂部に配置されており、フランジ２４および２８は、側面５４に対して当接するように下向きに折り曲げられ、それによって、図６および図７に示す構成に配置される。次いでフランジ２４および２８は、ステープル５６および／または接着剤など当分野で知られた何らかの手段によって、側部部材４４および４８に固定することができる。図７に示すように、残り２つの対向フランジ２６、３０は、図８に示すような構成をもたらすように、それぞれの側部部材４６、５０に対して下へと折り曲げられる。したがって、フランジ２６および３０は、折曲げ線３０に沿って曲げられ、次いで、ステープル５６および／または接着剤、あるいはフレーム取付け分野で知られたその他何らかの手段によって、側部部材４６、５０に固定される。
【００９８】
図９では、美術品複製１０が、木枠に固定されている。図９ａに示すように、隅部切込み細部３４が、木枠の隅部に隣接し、折曲げ線３２に沿って設けられる。図９ｂに示すように、画像を有する部分１２は、フランジ２４、２８がそれぞれ側部部材４４、４８に固定された状態で、木枠４２の開いた領域を覆って着座する。
【００９９】
図１０〜図１９は、図１〜図９によって例示されるものと同じ本発明の態様によるが、美術品複製の隅部のための代替製作パターンを用いる、代替フレーム取付け方法を例示する。同様の要素に、同様の番号が用いられている。
【０１００】
図１１に示すように、周縁１４の隅部は、タブ５８、６０、６２、および６４を設けるように切込みを入れられる。図１２および図１２ａにより詳細に示すように、タブ５８を製作する結果として、複製がそこから製作される隅部、または基材縁部の鋭い交点を画成する、２つの点６６、６８が生じる。各タブによって、２つのそのような点が作り出される。したがって、全体として、図１２に示すような基材の切込みの結果として、点６６、６８、７０、７２、７４、７６、７８および８０が作り出される。さらに、図１２に示すように、内側および外側の折曲げ線８２、８４が、各フランジ２４、２６、２８および３０内に設けられる。これによって、木枠４２の各側面５４ならびに木枠の各側部部材の底面に隣接して、フランジを折り曲げることが可能になる（例えば、図１５、図１７、および図１９ｂ参照）。したがって本実施形態によれば、基材は、木枠の側部部材の、側面および底面の両方に固定される。本発明によれば、基材の引裂きまたは破砕を防止または低減するために、内側の折曲げ線に沿った点６６、７２、７４、８０の少なくとも１つおよび好ましくはすべてに、また好ましくは、内側および外側の折曲げ線８２、８４に沿ったすべての点ならびに点６６、６８、７０、７２、７４、７６、７８および８０に、丸みが付けられ、または丸いもしくは楕円形の応力緩和切断部が設けられる。
【０１０１】
基材が木枠４２上に配置されると（図１３および図１４参照）、フランジ２６、３０がそれぞれの側部部材に隣接して載るように、対向する縁部２６、３０を、内側の折曲げ線８２に沿って折り曲げることができる。続いて、フランジが木枠４２の裏面の後部面に当接するように、フランジ２６、３０を、外側の折曲げ線８４に沿って折り曲げることができる。次いでフランジを、ステープル５６および／または接着剤によって、あるいはフレーム取付け分野で知られたその他何らかの方法によって、側部部材の後部面に固定することができる。続いて、図１６に示すように、タブ５８、６０、６２、および６４を、図１７に示す位置へと内側に折り曲げることができ、そのときに、側部フランジ２４、２８が木枠４２のそれぞれの側部部材の後部面に当接するように、フランジ２４、２８を、図１７ａに示すように下向きに折り曲げ、図１８に示すように内側に折り曲げることができる。次いでそれらのフランジを、ステープルおよび／または接着剤、あるいは当分野で知られたその他何らかの手段によって、木枠４２の下面に固定することができる。
【０１０２】
図１９、図１９ａ、および図１９ｂは、すべての縁部が、点線の輪郭として示すように木枠５０の後部または底部面の下方および周りに折り曲げられ、タブが、下方に折り曲げられステープルで留められ、円または楕円移行部が、引裂きまたは破砕を防止または低減するために切断線の交点に設けられている、本発明の一実施形態による美術品複製を示す。
【０１０３】
基材は、好ましくはプラスチックまたは金属であり、より好ましくは、熱成形可能なプラスチックである。熱成形可能なプラスチックは、好ましくは、ポリ塩化ビニル、ポリスチレン、ネオプレン、ポリエチレン、ＡＢＳ、ＰＥＴであり、好ましくは、ＥＶＡ、ＰＶＣ、またはポリスチレンであり、最も好ましくは、ポリスチレンである。金属は、好ましくは、アルミニウムまたは真鍮である。ネオプレンを使用する利点の１つは、ネオプレンは、可逆的に変形可能とすることができ、したがって、工程中に再使用することができることである。基材が、ポリスチレンなど不可逆的に変形可能な熱可塑性プラスチックである場合、熱成形可能なプラスチックは、使用済みの基材を当分野で知られたように粉砕することによって、再使用することができる。
【０１０４】
プラスチック基材の厚さは、０．００２〜０．１００インチ、好ましくは０．００３〜０．０２５インチ、最も好ましくは０．００６〜０．０１２インチとすることができる。金属基材の厚さは、０．００２から０．０６０インチ、好ましくは０．００３から０．０２０インチ、最も好ましくは０．００５から０．０１２インチとすることができる。
【０１０５】
画像を有する部分１２上に提供される画像は、２次元の印刷画像とすることができる（すなわちそれは、リソグラフィまたは当分野で知られたその他何らかの印刷手段によって印刷された画像とすることができる）。あるいは、画像は、その中に提供される写真など３次元画像を有するように、処理することができる。基材は、加圧成形、真空成形、加圧および真空成形、エンボス加工によって、Ｚ次元で複数の奥行きを作り出すよう基材に可変機械力を加えることによって、準備することができる。可変機械力は、ドット・マトリックス・プリントヘッド、デイジー・ホイール・プリントヘッドなどプリントヘッドにより、複数のピンまたは多方向に変形可能なＬＣＤによって生み出すことができ、コンピュータ信号によって、物理的な部材が、様々な位置で基材に接触しそれを凹ませる。好ましくは、基材は、加圧および／または真空成形によって準備される。最も好ましくは、画像を有する部分１２は、基材上に提供された２次元画像を備え、例えば印刷された３次元画像など、画像に相当するレリーフパターンまたはトポグラフィー(topography)がそこに形成される。画像およびまたはトポグラフィーがそれによって基材内に形成される実際の方法は、本発明の部分を含まず、当分野で知られるそのようないかなる方法を使用することもできることが理解されるであろう。
【０１０６】
上記何らかの工程が基材に行われる前に、基材の温度を上昇させること、あるいはその効果または存在が一時的なものである化学添加剤を添加することなどによって、基材の剛性を一時的に低減させることができる。例えば、ポリスチレン、ポリ塩化ビニル、またはＡＢＳを、メチルエチルケトン（ＭＥＫ）に曝すことができる。ＭＥＫは、熱成形可能なプラスチックの一時的な軟化を生じ、それによって、成形動作を促進する。
【０１０７】
そのような工程および基材は、「Method For The Automated Production Of Three-Dimensional Objects And Textured Substrates From Two-Dimensional Or Three-Dimensional Objects」という名称の、同時係属中の米国特許出願に記載されており、その開示は参照により本明細書に組み込まれている。
【０１０８】
画像は、美術作品である必要はなく、いかなるデザインのものとすることもできることも理解されるであろう。例えば、画像は、広告、映画のポスター、機械で製作された美術品または複製、現実をより近く模擬する肖像写真、または販売用備品、あるいはそれらの一部とすることができる。
【０１０９】
本発明の別の実施形態によれば、対向端部または側部３６、３８が、互いに交わるところで丸みを付けられることに加えて、対向端部３６、３８の交点、すなわち点４０に隣接する基材の厚さを厚くしてもよく、それによって、点または、隅部４０が、本発明にしたがって丸みを付けられまたはその他のやり方で構成されるときに、基材がひび割れまたは破砕する傾向が低減される。したがって、基材の上面３７および／または下面３９は、この点に隣接する基材の平面から外に延びることができる。好ましくは、点４０に隣接する基材は、基材によって画成される平面の外に湾曲するように、基材は徐々に厚くなる。
【０１１０】
本発明の一代替実施形態によれば、それに印刷された２次元画像を有し、かつ／あるいは、その中に形成された３次元画像またはトポグラフィーを有するプラスチック基材も、出版物８６に組み込むことができる。出版物８６は、プラスチック基材で制作された少なくとも１つおよび好ましくは複数のページ８８を含む、複数のページ８８を有する。
【０１１１】
この実施形態では、基材９０は、本明細書で開示するいかなる方法によって製作することもでき、その上に提供される出版物に通常含まれるいかなる画像、文章、デザイン、および／またはその他の材料を有することもできる。好ましくは、図２３および図２４に示すように、基材９０は、２ページのレイアウトを形成するように、出版物の中心に提供することができる。それらの図に示すように、基材は、２ページを占めるようにサイズ決めされた横長のシートを含むことができる。基材は、出版物が閉じられるときに基材９０が半分に折り曲げられることを助けるように、折り目を付けまたは処理することができる、中心線９４を有する。あるいは基材を、中心線９４に沿ってより薄くすることができる。あるいは基材を、単一のページを含むようなサイズにすることができる。この代替実施形態によれば、基材は、出版物が閉じられるときに半分に折り曲げられる必要がない。
【０１１２】
出版物１０は、複数のページを含むいかなる出版物でもよい。例えば、出版物１０は、本（上製本または並製本とすることができる）とすることができる。さらに、出版物１０は、雑誌、定期出版物、美術書、カレンダー、パンフレット、雑誌またはその他の出版物への広告用小冊子または折込みチラシ、取扱説明書、巻物、表紙または内表紙など本の選択的な部分、あるいはその他の製品を輸送または配布するために使用される包装などとすることができる。そのような出版物の例は、業界紙、医学誌、会社の年報、フィクションまたはノンフィクション作品、美術書、取扱説明書、カレンダー、およびその他の製品を輸送または配布するために使用される包装を含む。出版物１０は、非セルロースベースの基材から製作される１つまたは複数のページを有することができ、プラスチックである複数のページを有することができる。
【０１１３】
使用される製本のタイプは、出版物のタイプに応じて変えることができることが理解されるであろう。例えば、雑誌の場合、出版物は、ステープルで固定することができる。あるいは、本の場合、ページは、縫製、または縫製および接着剤によって固定することができる。好ましい実施形態では、製本は、ステープルまたは縫製など、複合作品１４を通過する細長部材を含む。
【０１１４】
ステープルまたは縫製を使用する製本には、複数のページを通って延びる細長部材を使用する。したがって雑誌の場合、細長部材は、ページを互いに固定するようにすべてのページを貫通して延びるステープルとすることができる。通常、２つのそのようなステープルが、雑誌の背に沿って離隔された位置に提供される。本の場合、複数のページは、針または当業界で知られるような穿通部材によって糸をページに通すことによって、互いに固定することができる。
【０１１５】
基材９０がそのような出版物に含まれる場合、ステープルまたは糸は、基材を貫通する。本発明のこの態様によれば、基材は、細長部材がそこを貫通することが可能になるように構成され、それによって、基材の引裂きまたは破砕の可能性を低減させる。したがって、ステープル９８など細長部材がそこを通って延びることができる穴または開口９６を、基材に設けることができる（図２４〜図２６）。そのような開口は、そこの角度が５°以下になるように構成される。穴９６が円形である必要はないことが理解されるであろう。したがって、穴９６は、円形または楕円形とすることができるが、連続的な周縁を有するように単に丸みを付けることができる。
【０１１６】
基材内に予め形成された穴を設けることによって、製本動作時に基材を穿刺する必要がない。その代わりに、製本動作時に、穴９６が穴９６を通って延びるステープルまたは細長部材と位置合わせされるように、基材９０を配置することができる。基材９０の剛性が、加熱または例えばメチルエチルケトンを用いた化学処理などによって一時的に低減される場合、基材９０内に穴９６を設けることができることが理解されるであろう。穴９６を製本工程中に形成することができることも、理解されるであろう。
【０１１７】
本発明の代替実施形態によれば、基材９０の厚さを、穴９６に隣接する部分で増加させることができる。例えば、図２６に示すように、基材９０は、平面Ａにほぼ沿って延びてもよい。基材９０が、その中に形成された３次元画像またはトポグラフィー１００を備える場合、実際の厚さを変えることができることが理解されるであろう。穴９６から末端側で、基材９０は、約Ｔ１の厚さを有する。ただし、穴９６に隣接した部位で、基材９０の厚さはＴ２まで増加している。したがって、基材９０の画像を有する面は、開口または穴９６の周縁に隣接した部位で、平面Ａの外に延びる。基材９０の対向表面の一方のみ、またはそれぞれを、平面Ａの外に延びるように構成することができることが理解されるであろう。
【０１１８】
本発明の別の態様によれば、ポスター、美術作品、広告などを取り付けるためのフレームは、少なくとも１つの発光部材を交換可能に受けるように、また任意で、複数の発光部材を交換可能に受けるように構成することができる。発光部材は、白熱電球、ＬＥＤなどとすることができる。異なる照明特性（色、光の強度など、かつ好ましくは、周囲の照明、サイズ、および、周囲に対する画像の主要な色を含めた内容に基づいて、見る人を喜ばせる全体的な光の色を作り出す）を有する複数の発光部材をキットの一部として設けることができ、または別個に得ることができる。したがって、発光部材は、選択的に変化させることができ、様々な照明効果を提供することを可能にする。例えば、使用することができる光は、主な特徴を際立たせまたは強調するために、より暖かいまたはより冷たい光をもたらすように、より広い拡散角度を有するように、あるいは美術作品または画像の部分を異なって照射するように、選択することができる。
【０１１９】
あるいは、またはさらに、発光部材を受けるための取付け部は、美術品複製に向けて照明を提供することができるように発光部材がフレーム内の美術品複製から離隔され、使用位置と、取付け部がフレームおよび／または美術品複製に隣接して配置され、かつ／またはそれによって美術品複製の包装の寸法が低減される輸送位置との間で取付け部を動かすことができるように、フレームに可動式に取り付けられる。
【０１２０】
本発明のさらなる代替実施形態によれば、美術品複製は、少なくとも１つの発光部材と、時刻を監視するための部材と、発光部材によって発生される光の強度、発光部材によって発生される光の色を調整し、かつ／または時刻に基づいて発光部材を作動させるための、制御装置を備える。したがって使用者は、発光部材が作動される１日の一部または複数部分、かつ／あるいは発光部材によって１日または１日の一部の間に発生される光の色および／または強度を事前にプログラムするために、制御装置をプログラムすることができる。
【０１２１】
本発明のさらなる代替実施形態によれば、美術品複製は、少なくとも１つの発光部材と、美術品複製が配置される室内の光を監視するための部材と、室内の光の強度に基づいて発光部材を点灯させることを含めて、発光部材によって発生される光の強度および／または色を調整するための、制御装置とを備える。したがって、美術品複製が室内に取り付けられる場合、発光部材は、夜間または夕方にのみ自動的に作動させることができ、あるいは、発光部材によって発生される光の強度および／または色を、部屋が暗くなるにつれて（すなわち昼間から夕方に近づくにつれて）自動的に増大させまたは変化させることができ、同様に、発光部材の強度を、夜明けが近づくとともに低減させ、または変化させることができる。
【０１２２】
こうした代替照明アセンブリはそれぞれ、本明細書で開示したような美術品複製と、あるいは壁、天井などにかけるためにフレームに取り付けられた何らかの美術作品またはその他の要素と関連づけて使用することができる、美術作品用のフレームまたは取り付けの一部として設けることができることが理解されるであろう。
【０１２３】
本発明の特に好ましい態様によれば、美術品複製上の画像は、家族のポートレート、または１人または複数人の個人の写真とすることができる。
【０１２４】
本発明で開示した実施形態に、様々な修正および追加を加えることができるが、それぞれが、添付の特許請求の範囲に包含されることが理解されるであろう。
【図面の簡単な説明】
【０１２５】
【図１】隅部に切込みが入っていない美術品複製の上面図である。
【図２】隅部に切込みが入れられた図１の美術品複製の上面図である。
【図３】図３は、隅部に切込みが入れられ、本発明の一態様の第１の実施形態にしたがって隅部に丸みが付けられた、図２の美術品複製の上面図であり、ａは、図３の領域Ａの拡大図である。
【図４】木枠に取り付けられた図３の美術作品複製の斜視図である。
【図５】前記複製品が木枠上に配置されており、木枠に当接して下向きに折り曲げられた基材の２つの対向フランジを示す、図３の美術作品複製の斜視図である。
【図６】２つのフランジが下へと折り曲げられており、フランジがフレームにステープルされる工程中である、図５の上面図である。
【図７】ステープルがフレームの対向側部に挿入されている、図６のアセンブリを示す斜視図である。
【図８】美術作品複製の別の２つの対向フランジが、下に折り曲げられており、ステープルが残りの２つの側部内へと挿入されている、図６のアセンブリを示す上面図である。
【図９】図９は、フランジが下に折り曲げられステープルで固定された、図８のアセンブリを示す斜視図であり、ａは、図９の領域Ａの拡大図であり、ｂは、図９の線９−９に沿った断面図である。
【図１０】美術品複製にフレームを付けるための、同様の一連のステップを示す図であり、美術品複製のフランジの隅部は、切込みが交互に入れられ、本発明の一態様の第２の実施形態にしたがって構成される。
【図１１】美術品複製にフレームを付けるための、同様の一連のステップを示す図であり、美術品複製のフランジの隅部は、切込みが交互に入れられ、本発明の一態様の第２の実施形態にしたがって構成される。
【図１２】美術品複製にフレームを付けるための、同様の一連のステップを示す図であり、美術品複製のフランジの隅部は、切込みが交互に入れられ、本発明の一態様の第２の実施形態にしたがって構成される。
【図１３】美術品複製にフレームを付けるための、同様の一連のステップを示す図であり、美術品複製のフランジの隅部は、切込みが交互に入れられ、本発明の一態様の第２の実施形態にしたがって構成される。
【図１４】美術品複製にフレームを付けるための、同様の一連のステップを示す図であり、美術品複製のフランジの隅部は、切込みが交互に入れられ、本発明の一態様の第２の実施形態にしたがって構成される。
【図１５】美術品複製にフレームを付けるための、同様の一連のステップを示す図であり、美術品複製のフランジの隅部は、切込みが交互に入れられ、本発明の一態様の第２の実施形態にしたがって構成される。
【図１６】美術品複製にフレームを付けるための、同様の一連のステップを示す図であり、美術品複製のフランジの隅部は、切込みが交互に入れられ、本発明の一態様の第２の実施形態にしたがって構成される。
【図１７】美術品複製にフレームを付けるための、同様の一連のステップを示す図であり、美術品複製のフランジの隅部は、切込みが交互に入れられ、本発明の一態様の第２の実施形態にしたがって構成される。
【図１８】美術品複製にフレームを付けるための、同様の一連のステップを示す図であり、美術品複製のフランジの隅部は、切込みが交互に入れられ、本発明の一態様の第２の実施形態にしたがって構成される。
【図１９】美術品複製にフレームを付けるための、同様の一連のステップを示す図であり、美術品複製のフランジの隅部は、切込みが交互に入れられ、本発明の一態様の第２の実施形態にしたがって構成される。
【図２０】出版物が、印刷された基材から構成された４つのページを有する、本発明の別の態様による出版物の斜視図である。
【図２１】図２０の出版物の端面図である。
【図２２】図２１に示す領域Ａの拡大図である。
【図２３】印刷された基材を有するページの内の１つが開かれた、図２０の出版物を示す斜視図である。
【図２４】図２３の上面図である。
【図２５】図２４の領域Ａの拡大図である。
【図２６】図２４に示す線２６−２６に沿った断面図である。
【図１】
2008513236.tif 000004
【図２】
2008513236.tif 000005
【図３】
2008513236.tif 000006
【図４】
2008513236.tif 000007
【図５】
2008513236.tif 000008
【図６】
2008513236.tif 000009
【図７】
2008513236.tif 000010
【図８】
2008513236.tif 000011
【図９】
2008513236.tif 000012
【図１０】
2008513236.tif 000013
【図１１】
2008513236.tif 000014
【図１２】
2008513236.tif 000015
【図１３】
2008513236.tif 000016
【図１４】
2008513236.tif 000017
【図１５】
2008513236.tif 000018
【図１６】
2008513236.tif 000019
【図１７】
2008513236.tif 000020
【図１８】
2008513236.tif 000021
【図１９】
2008513236.tif 000022
【図２０】
2008513236.tif 000023
【図２１】
2008513236.tif 000024
【図２２】
2008513236.tif 000025
【図２３】
2008513236.tif 000026
【図２４】
2008513236.tif 000027
【図２５】
2008513236.tif 000028
【図２６】
2008513236.tif 000029
【手続補正書】
【提出日】平成19年5月15日(2007.5.15)
【手続補正１】
【補正対象書類名】特許請求の範囲
【補正対象項目名】全文
【補正方法】変更
【補正の内容】
【特許請求の範囲】
【請求項１】
金属および／またはプラスチックで構成される基材を備え、該基材は、該基材の表面に印刷された２次元の画像、及び該表面に形成された画像に相当する３次元のトポグラフィーを有する出版物。
【請求項２】
前記基材は、第１および第２の部分を有し、前記２つの部分は、第１の折曲げ線で接触し、前記基材は、該基材の折曲げを助けるように処理されている請求項１に記載の出版物。
【請求項３】
前記基材は、前記折曲げ線に沿って、折り目が付けられている請求項２に記載の出版物。
【請求項４】
前記基材は、製品の包装を含む請求項１〜３のいずれかに記載の出版物。
【請求項５】
前記基材は、前記出版物の表紙を含み、該出版物は、複数のページと背を有しており、前記折曲げ線は、前記背に隣接して配置されている請求項２又は３に記載の出版物。
【請求項６】
前記ページの少なくともいくつかおよび前記基材内の少なくとも１つの開口を通って延びる細長部材をさらに備え、前記開口が、前記第１の折曲げ線に沿った応力の伝達を低減させるように構成される請求項５に記載の出版物。
【請求項７】
前記細長部材が、ステープルを含む、請求項６に記載の出版物。
【請求項８】
前記細長部材が、前記第１の折曲げ線に隣接した部位で前記基材を貫通する、請求項６又は７に記載の出版物。
【請求項９】
前記開口が、円形の周縁を有する、請求項６〜８のいずれかに記載の出版物。
【請求項１０】
前記開口がある周縁を有し、前記基材がある厚さを有し、前記基材の前記厚さが、前記開口の前記周縁に隣接した部位で増加している、請求項６〜９のいずれかに記載の出版物。
【請求項１１】
前記基材がプラスチックで構成される、請求項１〜１０のいずれかに記載の出版物。
【請求項１２】
前記第１の折曲げ線は、背に隣接して配置されており、第１及び第２の対向した端部を有しており、少なくとも１つの該端部が、前記第１の折曲げ線に沿った応力の伝達を低減させるように構成されている請求項２、３、５〜１０のいずれかに記載の出版物。
【請求項１３】
前記基材は、変形可能な自己支持形の基材であることを特徴とする請求項１〜１２のいずれかに記載の出版物。
【請求項１４】
前記基材は、製本された出版物内に組み込まれている請求項２、３、５〜１３のいずれかに記載の出版物。
【請求項１５】
前記基材が、熱変形可能なプラスチックである請求項１〜１４のいずれかに記載の出版物。
【請求項１６】
前記プラスチックは、ポリスチレンである請求項１〜１５のいずれかに記載の出版物。
【請求項１７】
前記基材は、第３の部分をさらに備え、前記第１及び第３の部分は、第２の折曲げ線で接触する請求項１〜１６に記載の出版物。
【請求項１８】
背を有する出版物を製本する方法であって、
（ａ）複数のページを設けることと、
（ｂ）金属および／またはプラスチックで構成される基材を設けることであって、前記基材が第１および第２の部分を有し、前記２つの部分が第１の折曲げ線において接触し、前記第１の折曲げ線が前記背に隣接して配置され、前記基材として、該基材の表面に印刷された２次元の画像、及び該表面に形成された画像に相当する３次元のトポグラフィーを有する基材を設けることと、
（ｃ）前記複数のページと基材とを互いに固定することとを含む方法。
【請求項１９】
前記方法は、さらに、前記第１の折曲げ線に沿って前記基材の折曲げを助けるように、該基材の処理を行う請求項１８に記載の方法。
【請求項２０】
前記処理ステップは、折曲げ線に沿って、前記基材に折り目をつける工程を含む請求項１８に記載の方法。
【請求項２１】
前記出版物は表紙を有し、前記方法は、さらに、前記出版物の前記表紙に、前記基材を配置することをさらに含む請求項１８〜２０のいずれかに記載の方法。
【請求項２２】
前記複数のページおよび前記基材を貫通するべく前記（ｃ）の工程で細長部材を貫通させることを含む請求項１８〜２１のいずれかに記載の方法。
【請求項２３】
前記細長部材が、前記第１の折曲げ線に隣接した部位で前記基材を貫通し、前記方法が、前記細長部材が通る予め形成された開口を備える前記基材を設けることをさらに含む、請求項２２に記載の方法。
【請求項２４】
前記第１の折曲げ線に沿った応力の伝達を低減するように前記開口を構成することをさら含む、請求項２２に記載の方法。
【請求項２５】
製品の梱包として前記基材を使用することをさらに含む請求項１８〜２０のいずれかに記載の方法。
【請求項２６】
前記基材が前記出版物の表紙を含み、前記出版物が複数のページと背を有し、前記方法は、前記背に隣接して前記折曲げ線を配置することをさらに含む請求項１８〜２４のいずれかに記載の方法。
【請求項２７】
前記基材としてプラスチックを選択することをさらに含む請求項１８〜２６のいずれかに記載の方法。
【請求項２８】
前記基材として変形可能な自己支持形の基材を選択することをさらに含む請求項１８〜２７のいずれかに記載の方法。
【請求項２９】
前記基材を、製本された出版物内に組み込むことをさらに含む請求項１８〜２０のいずれかに記載の方法。
【請求項３０】
前記基材として、熱変形可能なプラスチックを選択することをさらに含む請求項１８〜２９のいずれかに記載の方法。
【請求項３１】
前記基材として、ポリスチレンを選択することをさらに含む請求項１８〜３０のいずれかに記載の方法。
【請求項３２】
出版物であって、
（ａ）複数のページ、および背と、
（ｂ）金属および／またはプラスチックで構成される基材と、
（ｃ）前記ページの少なくともいくつかおよび前記基材内の少なくとも１つの開口を通って延びる、細長部材を備え、前記開口が、前記第１の折曲げ線に沿った応力の伝達を低減させるように構成される、出版物。
【請求項３３】
前記基材は、第１および第２の部分を有し、前記２つの部分は、第１の折曲げ線で接触し、前記第１の折曲げ線は、前記背に隣接して配置される、請求項３２に記載の出版物。
【請求項３４】
前記基材は、前記折曲げ線に沿って、折り目が付けられている請求項３３に記載の出版物。
【請求項３５】
前記基材は、前記出版物の表紙を含み、前記折曲げ線は、前記背に隣接して配置されている請求項３２〜３４のいずれかに記載の出版物。
【請求項３６】
前記基材は、該基材の表面に印刷された２次元の画像、及び該表面に形成された画像に相当する３次元のトポグラフィーを有する請求項３２〜３４のいずれかに記載の出版物。
【請求項３７】
前記基材は、前記出版物の表紙を含み、該出版物は、複数のページと背を有しており、前記折曲げ線は、前記背に隣接して配置されている請求項３２〜３６のいずれかに記載の出版物。
【請求項３８】
前記基材がプラスチックで構成される、請求項３２〜３７のいずれかに記載の出版物。
【請求項３９】
前記基材は、変形可能な自己支持形の基材であることを特徴とする請求項３２〜３８のいずれかに記載の出版物。
【請求項４０】
前記基材が、熱変形可能なプラスチックである請求項３２〜３９のいずれかに記載の出版物。
【請求項４１】
前記プラスチックは、ポリスチレンである請求項３２〜４０のいずれかに記載の出版物。
【請求項４２】
背を有する出版物を製本する方法であって、
（ａ）複数のページを設けることと、
（ｂ）金属および／またはプラスチックで構成される基材を設けることと、
（ｃ）前記基材に、細長部材がそこを通るための開口を設けることと、
（ｄ）前記開口に前記細長部材を通すことによって、前記複数のページおよび前記基材を互いに固定することと、を含む方法。
【請求項４３】
前記開口は周縁を有し、該周縁に隣接して基材を貫通するように、前記応力の伝達を低減させるような前記開口を構成することをさらに含む請求項４２に記載の方法。
【請求項４４】
前記開口は周縁を有し、前記周縁を円形にすることをさらに含む請求項４２に記載の方法。
【請求項４５】
前記開口は周縁を有し、前記周縁に隣接した部位の前記基材の厚さを厚くすることをさらに含む請求項４２に記載の方法。
【請求項４６】
前記基材を貫通して前記細長部材を通すまえに、前記開口を形成することをさらに含む請求項４２〜４５のいずれかに記載の方法。
【請求項４７】
基材に３次元画像が形成されるように、前記基材の処理を行う請求項４２〜４６のいずれかに記載の方法。
【請求項４８】
該基材の表面に印刷された２次元の画像、及び該表面に形成された画像に相当する３次元のトポグラフィーを有するように、前記基材の処理をさらに行う請求項４２〜４６のいずれかに記載の出版物。
【請求項４９】
前記基材が前記出版物の表紙を含み、前記出版物が複数のページと背を有し、前記方法は、前記背に隣接して前記折曲げ線を配置することをさらに含む請求項４２〜４８のいずれかに記載の方法。
【請求項５０】
前記基材としてプラスチックを選択することをさらに含む請求項４２〜４９のいずれかに記載の方法。
【請求項５１】
前記基材として変形可能な自己支持形の基材を選択することをさらに含む請求項４２〜５０のいずれかに記載の方法。
【請求項５２】
前記基材として、熱変形可能なプラスチックを選択することをさらに含む請求項４２〜５１のいずれかに記載の方法。
【請求項５３】
前記基材として、ポリスチレンを選択することをさらに含む請求項４２〜５２のいずれかに記載の方法。
【国際調査報告】
2008513236.tif 000030
2008513236.tif 000031
2008513236.tif 000032
2008513236.tif 000033